(57)【要約】【課題】乗りかご上部に装備された転落防止用の手摺りを保守作業時に容易に起立状態に組立でき、かつ倒伏状態の手摺りの高さを抑えることのできるエレベータのかご上手摺装置を提供する。【解決手段】乗りかご７上部左側の外周部に沿って設置される第１の手摺り１に、背面側の第２の手摺り３を第１の手摺りに対して、手摺りが起立状態のときに水平方向に回転可能に接続した。【選択図】図３
2007119138.tif 000002
【特許請求の範囲】
【請求項１】
昇降路を昇降する乗りかごの上面に設けられて、常時は倒伏状態に配置され、保守作業時に起立位置に配置されるエレベータのかご上手摺装置において、乗りかご上部両側の外周部に沿って設置された第１の手摺りと、前記乗りかごの上部背面側の外周部に沿って配置された第２の手摺りとから成り、前記第２の手摺りは前記第１の手摺りに回転可能に接続したことを特徴とするエレベータのかご上手摺装置。
【請求項２】
乗りかご上部両側の外周部に沿って設置された前記第１の手摺りと、前記乗りかごの上部背面側の外周部に沿って配置された前記第２の手摺り共に、前記手摺りが起立状態において、水平方向に配置された少なくとも上下２段の横桟を有することを特徴とする請求項１記載のエレベータのかご上手摺装置。
【請求項３】
前記第２の手摺りは、前記第１の手摺りに対して水平方向に回転可能に接続したことを特徴とする請求項１記載のエレベータのかご上手摺装置。
【請求項４】
手摺り起立状態において、前記第２の手摺りの前記第１の横桟と前記第１の手摺りの第１の横桟および前記第２の手摺りの前記第２の横桟と前記第１の手摺りの第２の横桟同士を接続することを特徴とする請求項１記載のエレベータのかご上手摺装置。
【発明の詳細な説明】
【技術分野】
【０００１】
本発明は、エレベータのかご上手摺装置に関する。
【背景技術】
【０００２】
従来のエレベータのかご上手摺装置は、例えば乗りかごの上面に常時は下降位置に配置され、保守作業時に起立位置に配置される手摺りが設けられる（特許文献１参照）。
【０００３】
上記のように構成された従来のエレベータのかご上手摺装置では、次のようにして保守作業が行われる。
【０００４】
まず、昇降路に設けられた乗場の床面に、乗りかごの上面が対応する位置に乗りかごを停止させる。次いで、その乗場の戸を保守員用の鍵によって戸開して、乗りかご上面に保守員が乗り込んで転落防止用の手摺りが起立状態に組立られる。そして、この状態で乗りかご上部での昇降路内機器の保守作業が行われる。
【特許文献１】特開平１−２８１２８１号公報
【発明の開示】
【発明が解決しようとする課題】
【０００５】
上記のような従来のエレベータのかご上手摺装置において、乗りかご上部に転落防止用の手段がない状態で、転落防止用の手摺りを起立状態に組立てる作業を乗りかご上部で行うことになる。従って、保守作業の準備段階において危険を伴う作業が発生するといった問題点があった。なお、乗りかご上部の転落防止用手摺りを常時起立した状態に装備すると、昇降路頂部における乗りかごの上昇余裕距離が長くなる。このため、昇降路頂部寸法を高くすることが必要となり、エレベータが設置される建物における昇降路の費用が嵩むこととなる。
【０００６】
本発明の目的は、上記の問題に鑑みてなされたもので、乗りかご上部に装備された転落防止用の手摺りを保守作業時に容易に起立状態に組立でき、かつ倒伏状態の手摺りの高さを抑えることのできるエレベータのかご上手摺装置を提供するにある。
【課題を解決するための手段】
【０００７】
上記目的は、昇降路を昇降する乗りかごの上面に設けられて、常時は倒伏状態に配置され、保守作業時に起立位置に配置されるエレベータのかご上手摺装置において、乗りかご上部両側の外周部に沿って設置された第１の手摺りと、前記乗りかごの上部背面側の外周部に沿って配置された第２の手摺りとから成り、前記第２の手摺りは前記第１の手摺りに回転可能に接続したことにより達成される。
【発明の効果】
【０００８】
本発明は、昇降路を昇降する乗りかごの上面に設けられて、常時は倒伏状態に配置され、保守作業時に起立位置に配置されるエレベータのかご上手摺装置において、乗りかご上部両側の外局部に沿って設置された第１の手摺りと、前記乗りかごの上部背面側の外周部に沿って配置された第２の手摺りとから成り、前記第２の手摺りは前記第１の手摺りに回転可能に接続したため、乗りかご上部に装備された転落防止用の手摺りを保守作業時に容易に起立状態に組立でき、かつ倒伏状態の手摺りの高さを抑えることができる。
【発明を実施するための最良の形態】
【０００９】
以下、本発明の一実施の形態を図面に基づき説明する。
【００１０】
図１は本発明の一実施の形態を示すエレベータのかご上手摺装置の概略図、図２〜図４は乗りかご上部の斜視図、図５は手摺り接続部の拡大斜視図である。
【００１１】
図において、１は乗りかご７上部左側の外周部に沿って設置された横桟１ａ、１ｂ、縦桟１ｃから成る第１の手摺りで、固定金具１ｄに支点１ｅにより回転可能に設置されている。同じく２は乗りかご７上部右側の外周部に沿って設置された横桟２ａ、２ｂ、縦桟２ｃから成る第１の手摺りで、固定金具２ｄに支点２ｅにより回転可能に設置されている。
【００１２】
また、乗りかご７の上部背面側の外周部に沿って配置される第２の手摺りは横桟３ａと３ｂ、縦横３ｃと３ｄから成り、横桟３ａと３ｂは第１の手摺り１の横桟１ａ、１ｂにヒンジ４ａ、４ｂによって、手摺り１が起立状態の時に水平方向に回転可能に設置されている。
【００１３】
尚、本実施形態では、横桟３ａ、３ｂは角形中空パイプを用いている。
【００１４】
上記のように構成されたエレベータのかご上手摺装置において、通常時は図２に示すように手摺り１、２は倒伏状態に保持されている。保守作業時には、まず、昇降路に設けられた乗場の床面に、乗りかご７の上面が対応する位置に乗りかご７を停止させる。次いで、その乗場の戸を保守員用の鍵によって戸開する。そして、保守員が乗りかご７上面に乗り込む前に、乗場側から手摺り１の横桟１ａの先端を掴んで持ち上げることにより、手摺り１は起立状態に保持される。同様に手摺り２を起立状態とする。この状態で、乗りかご７上部の左右両側に転落防止用の手摺りが形成され、保守員が乗りかご７上部に乗り込む際の安全性が確保される（図３）。
【００１５】
次に、保守員は乗りかご７の上部に乗り込みながら、背面側の第２の手摺りの縦桟３ｄを掴んで、乗りかご７の後方に押しながら縦桟３ｄをヒンジ４ａ、４ｂにより水平方向に回転させる（図４）。そして図５に示すように、横桟３ａの中空内部に配置した接続金具６のつまみ６ａを、横桟３ａに形成した案内孔５沿いにスライドさせ、接続金具６の先端を第１の手摺りの横桟２ａの開口部２ｆに挿入し横桟２ａと固定する。同様に第２の手摺りの桟３ｂと、第１の手摺りの横桟２ｂを固定することにより、背面側の第２の手摺りが第１の手摺りと固定される。
【００１６】
このようにして、保守員は危険な状態を伴うことなく、安全かつ容易に転落防止用の手摺りを起立状態に組立ることができる。
【００１７】
また、背面側の手摺りが独立している場合は、倒伏状態の時に、背面側手摺りの上に右側手摺り、その上に左側手摺りを重ねる必要があり手摺り高さが嵩むが、本発明では背面側手摺りを左右の手摺りに分割して、かつ回転可能に接続したことにより、倒伏状態での手摺り高さを抑えることができ、昇降路頂部寸法を低くすることができる。
【００１８】
また、本実施形態では手摺りの取付構造についてのみ述べたが、手摺りに安全スイッチを設けて、手摺りが起立状態の時に安全スイッチが動作することによって保守運転を許可する構成とすることにより、保守員の安全性をより高めることができる。
【図面の簡単な説明】
【００１９】
【図１】本発明における一実施の形態に係るエレベータのかご上手摺装置の概略図である。
【図２】本発明における一実施の形態に係るエレベータの乗りかご上部の斜視図である。
【図３】本発明における一実施の形態に係るエレベータの乗りかご上部の斜視図である。
【図４】本発明における一実施の形態に係るエレベータの乗りかご上部の斜視図である。
【図５】本発明における一実施の形態に係る手摺り接続部の拡大斜視図である。
【符号の説明】
【００２０】
１  第１の手摺り
１ａ、１ｂ  第１の手摺りの横桟
ｌｃ  第１の手摺りの縦桟
３ａ、３ｂ  第２の手摺りの横桟
３ｃ、３ｄ   第２の手摺りの縦桟
４ａ、４ｂ  ヒンジ
【図１】
2007119138.tif 000003
【図２】
2007119138.tif 000004
【図３】
2007119138.tif 000005
【図４】
2007119138.tif 000006
【図５】
2007119138.tif 000007